(57)【特許請求の範囲】
【請求項１】
煙道中に配設した排ガスサンプリングプローブと、該排ガスサンプリングプローブからの排ガスサンプルを受ける二系列の測定ラインと、上記排ガスサンプリングプローブに出口が接続されたＮＯガス供給源と、一方の測定ラインに配設したアンモニア酸化触媒と、該アンモニア酸化触媒の下流に配設したＮＯxセンサと、他方の測定ラインに配設した脱硝触媒と、該脱硝触媒の下流に配設したＮＯxセンサと、上記二のＮＯxセンサからのセンサ出力を受けてＮＯ及びＮＨ3濃度を演算計測する演算器とを含むＮＯ及びＮＨ3を含有する煙道排ガス中のＮＯx分析装置。
【発明の詳細な説明】
【０００１】
【発明の属する技術分野】
本発明は、発電設備等の煙道排ガスＮＯx分析装置の改良に関する。
【０００２】
【従来技術】
発電設備等に用いられるボイラ、ガスタービン等の排ガスに含まれる窒素酸化物（ＮＯxと言う）の計測には、従来より化学発光式の分析計が採用されているが、測定結果がリアルタイムに得られない、測定操作が繁雑であるなどの不具合があり、このような課題を解決できる新しい計測方法が望まれていた。
【０００３】
一方、各種ガス濃度を検出する方法として、例えば、酸素センサや可燃性ガス検知器などの化学センサがある。化学センサは半導体型、起電力型、電気分解型などがあり、検出するガスに応じてセンサ材料が選定されるが、応答速度が早く、使用法も容易である特徴を有する。さらに、化学発光式以外のＮＯ濃度の計測技術として、化学センサ式のＮＯ濃度計があるが、ＮＯ濃度検出用のセンサは、半導体型、起電力型、電流検出型が知られている。いずれも、応答速度が早いことなどの特徴を有することから、測定結果を瞬時にかつ簡易に計測できる利点がある。
しかしながら、化学センサは共存ガスによりセンサのＮＯ濃度指示値が影響されることがあるため、化学センサを実機のＮＯ濃度計測に適用するためには、このような共存ガスの影響を回避する必要がある。さらに、このような化学センサはＮＯ濃度を測定すること以外にＮＯ2やアンモニア濃度を計測するために用いることが望まれる。
【０００４】
【発明が解決しようとする課題】
本発明は上記事情に対して、共存ガスによるＮＯxセンサのＮＯ濃度指示値に対する影響を排除し、さらに、ＮＯxセンサをＮＯ2やアンモニア濃度を計測するためにも用いることができるようにした煙道排ガス中のＮＯx分析装置を提供することを目的とする。
【０００５】
【課題を解決するための手段】
上記目的を達成するために、本発明は、煙道排ガス中のＮＯx分析装置であって、煙道中に配設した排ガスサンプリングプローブと、該排ガスサンプリングプローブからの排ガスサンプルを受ける二系列の測定ラインと、上記排ガスサンプリングプローブに出口が接続されたＮＯガス供給源と、一方の測定ラインに配設したアンモニア酸化触媒と、該アンモニア酸化触媒の下流に配設したＮＯxセンサと、他方の測定ラインに配設した脱硝触媒と、該脱硝触媒の下流に配設したＮＯxセンサと、上記二のＮＯxセンサからのセンサ出力を受けてＮＯ及びＮＨ3濃度を演算計測する演算器とを含むＮＯ及びＮＨ3を含有する煙道排ガス中のＮＯx分析装置である。この発明は後述する図３の実施の形態に対応している。
なお、本発明で用いられるＮＯxセンサとしては、化学センサ式のＮＯ濃度計が好適である。
【０００６】
【発明の実施の形態】
以下に添付図面に示した実施の形態を参照しながら、本発明にかかる煙道排ガス中のＮＯx分析装置を説明する。
【０００７】
図１は、ＮＯ及びＮＨ3を含む排ガスのＮＯ濃度及びＮＨ3濃度をＮＯxセンサにより測定する実施の形態を示す。
この実施の形態は、ＮＯxセンサのＮＯx濃度測定値が、ガス中のアンモニアにより正確な値を示さない場合に適用できる。この実施の形態が適用される排ガスはＮＯ及びＮＨ3を含む。さらに、この実施の形態では排ガスダクトからサンプリングプローブによりＡ及びＢ系列のラインを分岐する。ＮＯガス供給源の出口はプローブに接続する。Ａ系列ではＮＯxセンサ直前にアンモニア酸化触媒を設置する。Ｂ系列ではＮＯxセンサ直前に、脱硝触媒を設置する。Ａ及びＢ系列の２つのＮＯxセンサ出力からＮＯ及びＮＨ3濃度を演算計測する。
【０００８】
次に、図１の実施の形態にかかる煙道排ガス中のＮＯx分析装置によりＮＯxを分析する方法を説明する。
排ガスダクト３０１中にＮＯがａ（ｐｐｍ）、ＮＨ3がｂ（ｐｐｍ）含まれるガスをサンプリングプローブ３０２で採取しＡ及びＢ系列へ分岐する。Ａ系列にはアンモニア酸化触媒３０５を通過した後にＮＯxセンサ３０３を設置し、Ｂ系列では脱硝触媒３０６を通過した後にＮＯxセンサ３０４を設置する。
また、ＮＯガス供給源３０７の出口はプローブ３０２に接続し、所定量ｃ（ｐｐｍ）のＮＯ濃度が、排ガスとともにＡ及びＢ系列へ供給される。すなわち、ＮＯ供給源３０７からＣ（ｐｐｍ）のＮＯを排ガスに供給すると、Ａ及びＢ系列へは、ＮＯがａ＋ｃ（ｐｐｍ）、ＮＨ3がｂ（ｐｐｍ）のガスが供給される。
【０００９】
Ａ系列のセンサ３０３のＮＯx測定値をｄ（ｐｐｍ）、Ｂ系列のセンサ３０４のＮＯx測定値をｅ（ｐｐｍ）とする。
Ａ系列に配置したアンモニア酸化触媒３０５では式（１）の反応が起こる。
２ＮＨ3＋５／２Ｏ2＝２ＮＯ＋３Ｈ2Ｏ  ・・・（１）
アンモニア酸化触媒３０５は、例えばＡｌ2Ｏ3を担体としてＰｔを担持させた触媒が適用できる。なお、このような触媒に限定されるものではない。触媒反応温度は約８００℃であるため、触媒３０５を加熱ヒータで反応温度に加熱する。
Ｂ系列に配置した脱硝触媒３０６では式（２）の反応が起こる。
４ＮＯ＋４ＮＨ3＋Ｏ2＝４Ｎ2＋６Ｈ2Ｏ  ・・・（２）
ＮＨ3及びＯ2は排ガス中に含まれる。
脱硝触媒は例えば、ＴｉＯ2を担体としてＶ2Ｏ5を担持させた触媒が適用できる。なお、同等の触媒能を持つものであればこれに限定されない。触媒反応温度は約４００℃であるため、触媒３０６を加熱ヒータで反応温度に加熱する。
【００１０】
Ａ系列のＮＯxセンサ３０３には、排ガスのＮＨ3を全てＮＯに酸化したガス組成、すなわちａ＋ｂ＋ｃ（ｐｐｍ）のＮＯガスが供給される。したがって、Ａ系列のセンサ３０３のＮＯx測定値ｄ（ｐｐｍ）は、
ｄ＝ａ＋ｂ＋ｃ      ・・・（３）
また、Ｂ系列のセンサ３０４には、脱硝反応（２）通過後の組成であるから、次のガス組成が供給される。
ＮＯ濃度はａ＋ｃ−ｂ
ＮＨ3濃度はｂ−ａ−ｃ
【００１１】
ここで、ＮＯガス供給源３０７からの供給ＮＯ濃度ｃ（ｐｐｍ）を、系内のＮＨ3濃度よりも過剰に供給すると、反応（２）の脱硝反応により、アンモニアは残存することなく、消費されるので、
ＮＨ3濃度：ｂ−ａ−ｃ＝０
したがって、Ｂ系列のセンサ４のＮＯｘ測定値ｅ（ｐｐｍ）は次式で示される。
ｅ＝  （ａ＋ｃ−ｂ）    ・・・  （４）
ここで、センサ３０３とセンサ３０４のＮＯx測定値、ｄ（ｐｐｍ）及びｅ（ｐｐｍ）をもとに、次式でＮＨ3及びＮＯ濃度を求めることができる。
0003631899.tif 000002
（５）及び（６）式の計算は、演算器８で行う。
本実施の形態によれば、ＮＯxセンサのＮＯx濃度測定値が、ガス中のアンモニアの影響を受ける場合でも、ＮＯ及びＮＨ3を含む排ガス中のＮＯ濃度及びＮＨ3濃度をＮＯxセンサにより測定できる。
【００１２】
【発明の効果】
上記したところから明らかなように、本発明によれば、共存ガスによるＮＯxセンサのＮＯ濃度指示値に対する影響を排除し、さらに、ＮＯxセンサをＮＯ2やアンモニア濃度を計測するためにも用いることができるようにした煙道排ガス中のＮＯx分析装置が提供される。
【図面の簡単な説明】
【図１】本発明にかかる煙道排ガス中のＮＯx分析装置の他の実施の形態を説明する概念図である。
【符号の説明】
３０１  ダクト
３０２  プローブ
３０３、３０４  ＮＯxセンサ
３０８  演算器
３０５  アンモニア酸化触媒
３０６  脱硝触媒
３０７  ＮＯガス供給源
【図１】
0003631899.tif 000003